Podtech/llm-jp-corpus-v4-ja_patent huggingface dataset:
(57)【要約】      （修正有）【課題】確実に尿をキャッチするフィット性能の高い使い捨てのベルト式尿パッドを提供する。【解決手段】吸水性シートからなるポケット部分ｄにオス犬の陰茎を収納した状態で一体化した伸縮性のあるベルトで腹部に装着します。ポケット内で尿が吸収されると腹部に尿が付くこともなく、また万が一ポケットから陰茎がずれ出た場合にも吸水ゾーンの吸水シートが尿を吸い込み、また立体的な漏れガードｃも備わっているので、３段構えで確実に尿をキャッチするものである。さらに伸縮性のあるベルトをテープｈで固定することにより犬の胴回りにぴったりフィットし、ずれ防止を強化する。また、使い捨て紙おむつタイプなので、常に清潔に使え、従来の布製品の欠点であった臭いの問題も解消される。犬にとっても、マーキングの度に飼い主から怒られるというストレスもなくなり、また飼い主も他人の土地、物品への尿害トラブルに悩まされるという状況も改善される。【選択図】図２
0003143754.tif 000002
【実用新案登録請求の範囲】
【請求項１】
ベルト式尿吸収パッドの、尿吸収シート部分を陰茎収納用折り返し型ポケットにするとともに前端、後端に漏れ防止ガードをつけた。
【請求項２】
ベルト部分は伸縮性があり、外側は不透過シート、内側は肌触りが良くすべりにくい不織布を用いることにより、フィット感と漏れ防止強化したところを特徴とする。
【考案の詳細な説明】
【技術分野】
【０００１】  本考案は尿漏れ防止を強化したオス犬用のベルト式尿吸収パッドに関するものである。
【背景技術】
【０００２】オス犬の習性である尿マーキングは、ご近所との尿害トラブルの元になることもあり、また公園での尿マーキングが、子供達の遊び場を不衛生にするおそれもあり、飼い主として、罪悪感を持ちながら犬の散歩をしなければならず、それを解消するために考案しました。
【考案の開示】
【考案が解決しようとする課題】
【０００３】オス犬の尿マーキングによる、ご近所との尿害トラブルを避ける為には、尿を確実にキャッチする必要があり、また、オス犬自身も飼い主に怒られることなく尿マーキングをしているつもりになれるのは、ストレスも無く、皆に幸をもたらすものと思われます。
【課題を解決するための手段】
【０００４】本考案は尿吸収パッドを折り返し型のポケットの形状にし、陰茎先端を収納することにより下腹部への尿の付着を防ぎ、また万が一ポケット部分から陰茎がずれ出ても吸収シート上であること、さらに漏れガードを付けることにより、尿漏れを強化したものである。また伸縮性のあるベルト式で粘着テープにより胴回りにぴったりフィットさせる事により、さらにずれ防止を強化している。
【考案の効果】
【０００５】現在存在するマーキング防止用のマナーベルトは布製のものが多く、尿パッドとの組み合わせにより使用しますが、確実にフィット出来ないと尿が漏れると共に布を伝わってベルト全体が尿にまみれてしまう事もありました。また毎日使用していると布に臭いが残り、清潔感もありませんでした。本考案はフィット、漏れ防止を強化すると共に使い捨て紙おむつ感覚で毎回清潔感ある使用が出来ることが従来の問題を解決している。
【考案を実施するための最良の形態】
【０００６】本考案は下腹部に密着する吸水尿パッドゾーンと脇腹から背にかけての伸縮ベルトゾーンからなり、尿パッドゾーンのポケットに陰茎を収納して使用する。万が一陰茎がポケットからずれ出ても、尿パッドゾーンの吸水シートが尿を吸収し、また漏れガードがさらに外部への漏れを防ぐ３段構えで尿漏れ防止を強化した尿吸収ベルトである。
【図面の簡単な説明】
【０００７】
【図１】  本考案の内側
【図２】  図１のａの横断面図
【図３】  図１のｂの横断面図
【図４】  本考案の外側
【図５】  オス犬に装着したところ
【図６】  装着時の内側（透視イメージ）
【符号の説明】
【０００８】ａ  本体の吸水ゾーン（吸水シート）
ｂ  本体の伸縮ベルトゾーン
ｃ  漏れガード（立体ギャザー）
ｄ  吸水シートの折り返しとポケット
ｅ  防水シート
ｆ  伸縮糸
ｇ  不織布
ｈ  粘着テープ
【図１】
0003143754.tif 000003
【図２】
0003143754.tif 000004
【図３】
0003143754.tif 000005
【図４】
0003143754.tif 000006
【図５】
0003143754.tif 000007
【図６】
0003143754.tif 000008
【手続補正書】
【提出日】平成20年4月30日(2008.4.30)
【手続補正１】
【補正対象書類名】実用新案登録請求の範囲
【補正対象項目名】全文
【補正方法】変更
【補正の内容】
【実用新案登録請求の範囲】
【請求項１】
本体の吸水ゾーンに陰茎収納用折り返し型ポケットを設けたことを特徴とするベルト式オス犬用尿吸収パッド。
【請求項２】
オス犬に装着したときに、そのオス犬の胴回りにフィットする本体の伸縮ベルトゾーンを、伸縮性のあるベルトとしたことを特徴とする、請求項１に記載のベルト式オス犬用尿吸収パッド。
(57)【要約】【課題】手袋をはずした時に片方だけを落としてしまう、ということを防ぐようにする。【解決手段】片方の手袋本体１にスナップ凹側５を付け、もう片方の手袋本体２に、スナップ凸側４を付けた小さな布のスナップの付いてない側を縫いつけて、手袋をはずした時にスナップを留めることによって両手袋がバラバラにならないようにした。【選択図】図３
0003143752.tif 000002
【実用新案登録請求の範囲】
【請求項１】
両手袋の裾にスナップ・ボタン等をつけ、手袋をはずした時にスナップ・ボタン等を留めると両手袋がくっついていること。
【考案の詳細な説明】
【技術分野】
【０００１】本考案は手袋をはずした時に片方だけ紛失してしまう、ということを解決するために、両手袋の裾にスナップをつけて両方を合わせて留めておけるようにする。
【背景技術】
【０００２】従来ははずした時に、両手袋を合わせて留めておける手袋はなかった。
【考案の開示】
【考案が解決しようとする課題】
【０００３】手袋をはずした時に、ちゃんと両手分持っていたつもりなのに片方だけ落としてしまう、という問題点があった。
【課題を解決するための手段】
【０００４】片方の手袋本体１の裾の内側にスナップ５（凹側）を付け、もう片方の手袋本体２の裾の内側には、小さな布３の端にスナップ４（凸側）を付けたもののスナップの付いてない端に縫い止め、はずした時にスナップを留めて両手がバラバラにならないようにした。
【考案の効果】
【０００５】両手袋がスナップで留まっているのでバラバラにならず、片方だけ落とすことがなくなる。
【図面の簡単な説明】
【０００６】
【図１】手袋本体にスナップを縫い付ける場所を示した平面図である。
【図２】本考案によりスナップが縫い付けられているものを横から見た図である。
【図３】本考案により両手袋が合わさった図である。
【符号の説明】
【０００７】１  手袋本体片側
２  手袋本体反対片側
３  布
４  スナップ凸側
５  スナップ凹側
【図１】
0003143752.tif 000003
【図２】
0003143752.tif 000004
【図３】
0003143752.tif 000005
【手続補正書】
【提出日】平成20年5月12日(2008.5.12)
【手続補正１】
【補正対象書類名】実用新案登録請求の範囲
【補正対象項目名】全文
【補正方法】変更
【補正の内容】
【実用新案登録請求の範囲】
【請求項１】
両手袋の裾に１対のスナップをつけ手袋をはずした時にスナップを留めると、両手袋を一緒に保管しておけることを特徴とする手袋。
(57)【要約】      （修正有）【課題】金網に皮が焦げついた焼魚を姿を崩すことなく皿に盛りつけることができる調理用トングを提供する。【解決手段】調理用トングの挟み部分の下側に各々軸方向に対し内側に折れ曲がった支持板を設ける。トングの支持板部分を金網の平面に軽く押しつけ取手部分を握ることにより、焼魚の金網に焦げついた皮の部分を剥離させ焼魚を持ち上げ皿に移すときは、焼魚の下面を一定の長さに渡り下支えすることにより姿を崩すことなく盛りつけることができる。【選択図】図２
0003143755.tif 000002
【実用新案登録請求の範囲】
【請求項１】
挟み部分の下側に内側方向に折れ曲がった任意の幅の支持板を有する調理用トング
【請求項２】
請求項１の支持板を櫛の歯状にする
【考案の詳細な説明】
【考案の開示】
【考案が解決しようとする課題】
【０００１】さんま、いわしなどのなま魚を、ガスや炭火で焼くとき魚の皮の部分が金網に焦げついてしまい、この状態で菜箸を用いて持ち上げようとすると魚の身の一部が焦げついた皮とともに金網に付着して残ってしまったり、半分に折れ曲がったりして皿に盛りつけたとき、見掛けが悪くなる。
【課題を解決するための手段】
【０００２】調理用トングの調理品を挟む部分の下側にトングの軸方向に対し内側に折れ曲がった任意の幅の支持板を設ける。
【考案の効果】
【０００３】トングの支持板部分を金網の平面に軽く押しつけ取手部分を握ることにより、焼魚の金網に焦げついた皮の部分を剥離させ焼魚を持ち上げ皿に移すときは、焼魚の下面を一定の長さに渡り下支えすることにより姿を崩すことなく盛りつけることができる。
【図面の簡単な説明】
【図１】本考案による、調理用トングの平面図
【図２】本考案による、調理用トングの立面図
【図３】挟み部分の断面図
【符号の説明】
１．      トングの挟み部分
２．      トングの取手部分
３．      トングの支持板部分
４．      挟み部  上
５．      挟み部  下
Ａ−Ａ′  断面方向
【図１】
0003143755.tif 000003
【図２】
0003143755.tif 000004
【図３】
0003143755.tif 000005
【手続補正書】
【提出日】平成20年4月24日(2008.4.24)
【手続補正１】
【補正対象書類名】実用新案登録請求の範囲
【補正対象項目名】全文
【補正方法】変更
【補正の内容】
【実用新案登録請求の範囲】
【請求項１】
挟み部分の下側に内側方向に折れ曲がった任意の幅の支持板を有する調理用トング。
【請求項２】
前記支持板を櫛の歯状にしたことを特徴とする請求項１記載の調理トング。
(57)【要約】      （修正有）【課題】お風呂の椅子や湯船に座ってもお尻が冷えることなく、全身を暖めることができる保温防水座布団を提供する。【解決手段】座布団本体にお湯又は保温材を入れ温めて、お風呂の椅子又は湯船にひいて使用することにした。【選択図】図３
0003143758.tif 000002
【実用新案登録請求の範囲】
【請求項１】
お風呂のお湯を座布団の中に入れ、お風呂の椅子や湯船に座るとき下にひいてお尻が冷えるのを防ぐ。
【請求項２】
もともと座布団の中に保温材を入れているものを湯船で暖めて、お風呂の椅子や湯船に座るときに使用してお尻が冷えるのを防ぐ。
【考案の詳細な説明】
【考案の詳細な説明】
【考案が解決しようとする課題】
【０００１】お風呂で椅子を使用すると、どうしてもお尻が冷えてしまうし、湯船に入ってもお尻の部分だけが暖まらないので、全身が温まらないという問題点があった。
【課題を解決するための手段】
【０００２】お風呂の椅子に座ったり、湯船に座ってもお尻が冷えることのないように事前に座布団本体１にお湯又は保温材を入れ使用する。
【考案の効果】
【０００３】入浴時にお尻が冷えることのあるお風呂の椅子や湯船に座る時に保温性のある座布団を使用することによって、お尻の冷えを防ぐことができる。
また、この座布団は柔らかい為、硬いお風呂の椅子を使用していても快適に体を洗ったりすることができる。
【図面の簡単な説明】
【図１】座布団本体を示した平面図である。
【図２】座布団本体を示した断面図である。
【図３】考案した座布団のお風呂椅子への使用状況を示す側面図である。
【図４】考案した座布団の湯船への使用状況を示す側面図である。
【符号の説明】
１  座布団本体
２  座布団内部のお湯又は保温材
３  お風呂の椅子
４  湯船本体
５  お湯
６  人
【図１】
0003143758.tif 000003
【図２】
0003143758.tif 000004
【図３】
0003143758.tif 000005
【図４】
0003143758.tif 000006
【手続補正書】
【提出日】平成20年4月27日(2008.4.27)
【手続補正１】
【補正対象書類名】実用新案登録請求の範囲
【補正対象項目名】全文
【補正方法】変更
【補正の内容】
【実用新案登録請求の範囲】
【請求項１】
お風呂のお湯を座布団の中に入れ、お風呂の椅子や湯船に座るとき下にひいてお尻が冷えるのを防ぐことを特徴とする保温防水座布団。
【請求項２】
座布団の中に保温材を入れているものを湯船で暖めて、お風呂の椅子や湯船に座るときに使用してお尻が冷えるのを防ぐことを特徴とする保温防水座布団。
(57)【要約】      （修正有）【課題】水田の水管理を簡単に出来て、水田のあぜ道を破壊することを防止し、水量を調節できる排水調整具を提供する。【解決手段】水田のあぜ道に中空管、筒と先端部ジャバラ中空管、筒を設け、排水調整柱とジャバラの中空管、筒の先端部にフックを設け、水量調整柱にフックを掛ける爪もあり、水田の水の調整が出来ることで、あぜ道の破壊防止と、排水管理も同時に可能とする。【選択図】図１
0003143787.tif 000002
【実用新案登録請求の範囲】
【請求項１】
中空管、筒の先端部にジャバラ中空管、筒を設けた排水調整具。
【請求項２】
ジャバラ中空管、筒の先端部に、フック、排水調整柱に爪を設けたことを特徴とする請求項１に記載の排水調整具。
【考案の詳細な説明】
【技術分野】
【０００１】本考案は水田の水管理の調整具に関する。
【背景技術】
【０００２】水田の水量は、あぜ道に側溝を造り、板の上下により調整する監理具は古来より知られていて、利点もある。
【考案の開示】
【考案が解決しようとする課題】
【０００３】しかしながら、水田の水をあぜ道に側溝を造って流すことで、水の圧力により、あぜ道を破壊することが多く、欠点があった。
【課題を解決するための手段】
【０００４】本考案は水田のあぜ道を破壊せず、水量を簡単に調整することで、上記課題を解決するものである。
【考案を実施するための最良の形態】
【０００５】図１に示すように、排水調整具は金属、合成樹脂等の管、筒に合成樹脂性ジャバラ管、筒を設けて、あぜ道に埋め込み、あぜ道を踏み固めて破壊防止の形態である。【０００６】ジャバラ管、筒の先端部にフック、爪等を設け、水量調整柱を側溝に設け、調整柱にも、フック、爪を設けて、ジャバラ管、筒の先端部のフック、爪を掛けて水量を調整する形態であり、実用性にも簡単で優れたものである。
【考案の効果】
【０００７】本考案は、水田の改造整備により、水監理も良くなったが、場所によっては、個々により異なるので、個々の監理が必要のため、本考案の排水調整具が必要とし、便利で優れた効果がある。
【図面の簡単な説明】
【図１】  本考案に係る、排水調整具使用時の工程図である。
【図２】  本考案に係る、排水調整具の工程図である。
【符号の説明】
１      あぜ道
２      側溝
３      水田の水
４      排水調整具管、筒
５      ジャバラ管、筒
６      ジャバラ管、筒で排水調整する柱
７      ジャバラに設けたフック
８      ジャバラの管、筒を上下調整するため掛ける爪
９      ゴミ取り網
【図１】
0003143787.tif 000003
【図２】
0003143787.tif 000004
(57)【要約】      （修正有）【課題】風向幅、風量が倍増し、調節も自由にできるうちわを提供する。【解決手段】うちわとうちわを二枚重ねて、柄と柄の部分をハトメで留める。ハトメ３の支点軸により、互いに交差できるようになり、広げると持ち部４は細いままで持ち易く、橋の端５と橋の端５の拡大にて手から外れることはない。使用するときは、柄２と柄２により、うちわ１とうちわ１を広げて扇ぐと、風が二倍の幅と量で送られる。多量に送風することで、敏速に扇ぐことなく緩やかで良く、風の幅の調節もできる。【選択図】図２
0003143785.tif 000002
【実用新案登録請求の範囲】
【請求項１】
うちわを２枚重ねて、柄の部分をハトメで留めて、互に交差できるように工夫したことが特徴の二重うちわ。
【考案の詳細な説明】
【技術分野】
【０００１】  本考案は、うちわを２枚重ねて、各うちわの柄の部分をハトメで留めて、互に交差できるように工夫したもので、手に柄を持って扇ぐことにより、送風できる二重うちわに関するものである。
【背景の技術】
【０００２】  従来、うちわは竹材やプラスチックス材に骨組みを成し、紙などを貼って作られており、共に１枚が知られている。
【考案の開示】
【考案が解決しようとする課題】
【０００３】  そのために次のような問題点があった。
１枚のうちわは、風を多量に送るために扇ぐとき、敏速さと、力量過労を、必要としていた。
１枚のうちわでは、風向幅、風量の調節はできなかった。
本考案は、以上の問題点を解決するために、なされたものである。
【課題を解決するための手段】
【０００４】  うちわ（１）を２枚重ねて柄（２）の部分をハトメ（３）で留めて、互に交差できるようにする。
以上を特徴とする二重うちわである。
【考案の効果】
【０００５】  各うちわの柄の部分をハトメで留めることで、うちわ同士の乱れがなく、横へのスライドが行えて使用時に破損することはない。
各うちわの柄の部分をハトメで留めて、握りにより滑り落ちを防止し、回転させることも自在にできる。
うちわを広げて扇ぐと、風向幅、風量が倍増し、調節も自由にできる。
また、うちわ本来の姿を失うこともない。
【考案を実施するための最良の形態】
【０００６】  以下、本考案の実施の形態を説明する。
うちわ（１）、うちわ（１）を二枚重ねて、柄（２）、柄（２）の部分をハトメ（３）で留める。
ハトメ（３）の支点軸により、互に交差できるようになり、広げると持ち部（４）は細いままで持ち易く、柄の端（５）、柄の端（５）の拡大にて手から外れることはない。
本考案は、以上のような構造である。
本考案を使用するときは、柄（２）、柄（２）により、うちわ（１）、うちわ（１）を広げて扇ぐと、風が２倍の幅と量で送られる。
多量に送風することで、敏速に扇ぐことなく緩やかで良く、風の幅の調節もできる。
２つの角度の方向へ風を送ることもできる。
【図面の簡単な説明】
【０００７】
【図１】  本考案の正面図
【図２】  本考案の使用状態を示した正面図
【図３】  本考案の側面図
【図４】  本考案の断面図
【図５】  本考案の１８０度の展開図
【符号の説明】
【０００８】      １  うちわ
２  柄
３  ハトメ
４  持ち部
５  柄の端
【図１】
0003143785.tif 000003
【図２】
0003143785.tif 000004
【図３】
0003143785.tif 000005
【図４】
0003143785.tif 000006
【図５】
0003143785.tif 000007
(57)【要約】      （修正有）【課題】エンジン燃焼室への吸気及び排気の効率の向上、また部品点数の減少及び重量の軽量化を目的としたエンジンのスライド式吸気バルブ及び排気バルブを提供する。【解決手段】バルブを左右スライド式にすることにより、吸気及び排気を従来のバルブよりも大きな面積を持つ吸気口及び排気口で行う為に効率を向上することが可能であり、また構造自体も簡単な為に部品点数の減少及び重量の軽量化も可能である。【選択図】図２
0003143789.tif 000002
【実用新案登録請求の範囲】
【請求項１】
エンジン燃焼室上部にスライド式の吸気口及び排気口を設け、燃焼室の吸気ポートとスライド式の吸気口が重なった時に吸気、燃焼室の排気ポートとスライド式の排気口が重なった時に排気が行われるところを特徴とする、エンジンの吸気及び排気バルブ
【考案の詳細な説明】
【技術分野】
【０００１】本考案は、エンジン燃焼室の吸気及び排気バルブに関するものである。
【背景技術】
【０００２】４サイクルエンジンの吸気及び排気はバルブが上下運動することによりバルブの開閉を行う。
【考案の開示】
【考案が解決しようとする課題】
【０００３】バルブの上下運動で行われる吸気及び排気では、燃焼室とバルブの隙間で吸気及び排気が行われる為効率が良くなく、効率を良くする為にはバルブの数を増やすなどするので、エンジンが複雑になり又エンジンの重量も増加する。
【課題を解決するための手段】
【０００４】本考案は、エンジン燃焼室の上部にスライド式の吸気口及び排気口を設け、吸気口と燃焼室吸気ポートが重なった時に吸気、排気口と燃焼室排気ポートが重なった時に排気を行うことにより効率を向上させる、又部品点数も少ないので重量を軽くすることが可能なので問題点を解決している。
【考案の効果】
【０００５】上述の様に、本考案は吸気及び排気の効率を良くすることは勿論、部品点数が少ない為構造を簡単にすることが出来、重量を軽くすることが可能である。
【考案を実施するための最良の形態】
【０００６】燃焼室の上部に吸気口及び排気口が開いているスライド板を設置し、スライド板をスライドさせることにより吸気口と燃焼室の吸気ポートが重なった時に吸気を、排気口と燃焼室の排気ポートが重なった時に排気が行われるようにする。
【実施例】
【０００７】以下、添付図面に従って一実施例を説明する。左右スライド式のバルブであるが、図を縦にしてある為図２では上下のスライドになります。図２において２及び３が上下運動することにより、５と７が重なった時に吸気、６と８が重なった時に排気が行われる。又図２では２と３が交互に上下運動することを前提にしていますが、同時に上下運動する時は７、８の位置が変わります、たとえば図２で７が５をはさんで反対側もしくは８が６をはさんで反対側に変わります。
【産業上の利用可能性】
【０００８】動力エンジン、内燃機関全般における燃焼室の吸気及び排気バルブ
【図面の簡単な説明】
【０００９】
【図１】図２平面図における、線１１，１２での断面図。
【図２】本考案のスライドバルブ、燃焼室の上面からの平面図
【符号の説明】
【００１０】１＝スライド板留め金具：２＝吸気側スライド板：３＝排気側スライド板：４＝シリンダー及び燃焼室底面の内径：５＝燃焼室吸気ポート：６＝燃焼室排気ポート：７＝スライド板吸気口：８＝スライド板排気口
【図１】
0003143789.tif 000003
【図２】
0003143789.tif 000004
(57)【要約】      （修正有）【課題】夏の炎天下、暑さを凌ぐ為に、打ち水などの作業が行われているが、すぐに乾いてしまい、何度も撒かなくてはならない。スプリンクラーなどを使用すると、電力を消費することになる。手間や電力を省く手段を講じて継続的な打ち水効果を実現させた吸水性シート冷却装置を提供する。【解決手段】架台１上に貯水容器２を搭載するとともに、架台１から布や化学繊維等の吸水性シート３を吊り下げ、吸水性を持つ裁縫糸や毛糸等の通水具４により貯水容器内の水等の液体を吸い上げ、その通水具４を通して、吸水性シート３との間を連絡することで、吸水性シート３に液体を滴下させ気化させることにより、道路やベランダ等の装置近辺の温度を下げることで、いわゆる打ち水効果を継続的に実現する。【選択図】図２
0003143784.tif 000002
【実用新案登録請求の範囲】
【請求項１】
吸水性シートからの液体の気化熱利用の冷却目的で、架台と貯水容器と吸水性シートと通水具を主たる構成要素とする装置であり、架台上に貯水容器を搭載するとともに、架台から布や合成繊維等の吸水性シートを吊り下げ、吸水性を持つ裁縫糸や毛糸等の通水具により貯水容器内の水等の液体を吸い上げ、その通水具を通して、吸水性シートとの間を接触のみや接着剤による接着や縫い付けなどの方法で連絡することで、吸水性シートに液体を滴下させ気化させることにより、道路やベランダ等の装置近辺の温度を下げることで、いわゆる打ち水効果を継続的に実現する装置に係る。
【考案の詳細な説明】
【技術分野】
【０００１】本考案は、液体の気化熱を装置近辺から奪い、装置近辺を冷却するための装置に関する。
【背景技術】
【０００２】夏の炎天下などの道路やベランダ等の環境を冷却するために、人手で水を撒く打ち水作業や、スプリンクラー等を使っての散水などが行われている。
【考案の開示】
【考案が解決しようとする課題】
【０００３】人手で水を撒く打ち水などの作業は、道路やベランダ等の環境を冷却するために有効であるが、乾いてしまえば元の状態に戻り、効果を継続させるためには、何度も作業を行う必要がある。スプリンクラー等を使っての散水などでは、電力が必要である。
【課題を解決するための手段】
【０００４】架台上に貯水容器を搭載するとともに、架台から布や合成繊維等の吸水性シートを吊り下げ、裁縫糸や毛糸等の吸水性を持つ通水具により貯水容器内の水等の液体を吸い上げ、その通水具を通して、吸水性シートとの間を連絡することで、吸水性シートに液体を滴下させ気化させることにより、道路やベランダ等の装置近辺の温度を下げることで、いわゆる打ち水効果を継続的に実現する装置を用いる。
【考案の効果】
【０００５】貯水容器に液体を補充することで、人手による打ち水作業や、電力を使用するスプリンクラー等の代りとして、継続的な冷却効果を実現できる。
【考案を実施するための最良の形態】
【０００６】架台上に貯水容器を搭載している関係上、重心が上部に有ることを考慮して、架台が転倒しないような形状にする。【０００７】吸水性シートを水平方向に長くとり、貯水容器や通水具を複数にすることで更なる冷却効果を実現することが可能となる。【０００８】通水具の通水速度が速すぎると、貯水容器内の液体の減りが早くなり過ぎるので、適当な素材、形状を選択する。【０００９】装置を設置する環境によっては、台風などの強風時に対処する必要も考えられるので、簡単に撤去できる構造、若しくは、耐えられる構造にしておくことが良い。【００１０】吸水性シートは、防カビの観点から、洗濯を行いやすいように、取り外しが簡単な構造にしておく。
【図面の簡単な説明】
【００１１】
【図１】本考案の構成を示した平面図である。
【図２】本考案の構成を示した正面図である。
【図３】本考案の構成を示した側面図である。
【符号の説明】
【００１２】１  架台
２  貯水容器
３  吸水性シート
４  通水具
【図１】
0003143784.tif 000003
【図２】
0003143784.tif 000004
【図３】
0003143784.tif 000005
(57)【要約】      （修正有）【課題】視認性、安全性を高めたカードボード・ハードルを提供する。【解決手段】例えば、段ボールの様な材質で作れば、面を取り入れた中空の三角柱状の立体的な用具が形成できる。この面に楽しめるデザイン模様や文字をカラフルに印刷する事も容易となって、トレーニングを活性化させる。金属や硬質な材料も製造には必要なく、安全性も高い。軽くてソフトな本用具は、屋内競技にまで使用範囲を拡大させる意義は大きい。段ボールが水気にやや難点があるとすれば、プラスチック段ボールもある。トレーニング時に数を必要とする用具であり、価格的な点も解決される。【選択図】図１
0003143748.tif 000002
【実用新案登録請求の範囲】
【請求項１】
板状の材質やスポンジ状のクッション等を包み込んだもので形作られ、面を強調したスポーツトレーニング用具。
【請求項２】
面を使用して、デザイン模様や文字が描かれたスポーツトレーニング用具。
【請求項３】
使用中の危険回避や床面損傷を避けるソフトな材質で作られたスポーツトレーニング用具。
【請求項４】
保管時と使用時に形状を変えられ、利便性を有するスポーツトレーニング用具。
【考案の詳細な説明】
【技術分野】
【０００１】  本考案は、スポーツトレーニング用具に関するもので、パイプ製の通称ミニハードルと言われている従来品に改良を加えて、安全性、視認性、快適性等を高めたものである。
【背景技術】
【０００２】  従来使用されていた通称ミニハードルは硬質なプラスチックパイプや金属パイプで作られていた（図２）。
【考案の開示】
【考案が解決しようとする課題】
【０００３】  しかし、従来の硬質パイプで作られたものは、視認性、安全性に万全とは言えず、足にからまるなど使用者に不安感、緊張感をもたらす要素があった。色彩的にも単調であり、調教的なトレーニングに陥りがちな用具であった。また、硬質なプラスチックや金属で作られたたものだけに、体育館のフロアや柔道場の畳に傷が付く心配もあって、屋外専用の用具に思われていた。
【課題を解決するための手段】
【０００４】  そこで、この用具の構成に段ボールの様な材質を取り入れた。面を取り入れる事で立体感が生じたり、面に描くデザイン模様や文字もトレーニングを活性化させる効果が得られる（図１）。段ボールでこの用具を制作した場合は、紙器の一種類として足に絡まる事もなく、踏み付けた場合もつぶれるだけで危険性はない。金属、硬質材料を使わずに作れるので、床、畳を傷つけない。したがって、これまで屋外グランド専用で使われてきたものが、今後は屋内競技のトレーニング用具として問題なく使用できる。
【考案の効果】
【０００５】  硬質なプラスチックパイプや金属パイプで作られていた従来品に比べ、面の構成による本考案は、視認性の度合いが格段に向上する。パイプの無機質さに対して、段ボールの製品面にデザイン模様を印刷された本考案品を作り、これをトレーニングに使用すればアスリート達のモチベーション向上に役立つ。パイプ製の従来品に比べ、安全性が向上すると共に使用者に安心感が出てリラクゼーション、リズム、シャープさなど多くのトレーニング効果を上げられる。従来品は現在まで屋外スポーツの走力アップ、脚力アップの為に使用されてきたが、本考案品は素足で使用しても安全であり、体育館の床に傷をつける心配もなく、屋内スポーツのトレーニングに利用範囲を広げた事は革新的と思える。
本考案品が段ボールで作られた場合、使用後処分するにも従来品に比べ環境に優しい。
【考案を実施するための最良の形態】
【０００６】  本考案に関わるカードボードハードル１０は、図１に示すように、立体感、遠近感、など視認性にこだわった形にしている。このものは本来の使用目的が、スポーツの基本である走力アップにある。走者のランニングコースに走者の歩幅（間隔）に合わせ、本考案品を１０個程セットし、それに足が当たらぬように膝を高く上げて走り抜く。このようにスプリント（疾走）の中で認識しやすい形、色彩が重要となる。これまでにあげた必要な諸条件を満たすためには、段ボールを三角形に折りたたんだ各三面が長方形になる条件で、中空の三角柱となる形態が理想的と考える。この形態によってデザイン模様や文字を各面に描く事が可能になり、その色彩も含めて視認性が従来品２０に比べ、格段に上がる。
【図面の簡単な説明】
【０００７】
【図１】  本考案に関わるカードボードハードルを、段ボールで制作した場合のもので俯瞰図にしたものである。
【図２】  従来品の、通称トレーニングハードルと言われているものを俯瞰図にしたものである。
【符号の説明】
【０００８】１      段ボールを三角柱状に折り曲げた角。設置した時の最高部。
２      段ボールで構成された面。
３      使用時の接地部
４      パイプ
１０    本考案用具（カードボードハードル）
２０    従来品（通称ミニハードル）
【図１】
0003143748.tif 000003
【図２】
0003143748.tif 000004
【手続補正書】
【提出日】平成20年5月9日(2008.5.9)
【手続補正１】
【補正対象書類名】実用新案登録請求の範囲
【補正対象項目名】全文
【補正方法】変更
【補正の内容】
【実用新案登録請求の範囲】
【請求項１】
ソフトな材質の板状部材を折り畳んで作られた、中空の三角柱からなるスポーツトレーニング用具。
【請求項２】
板状部材が段ボールである請求項１記載のスポーツトレーニング用具。
【請求項３】
三角柱の外表面に、文字、模様又は色彩等が施されている請求項１記載のスポーツトレーニング用具。
【請求項４】
請求項１記載のスポーツトレーニング用具を作るためのソフトな材質の板状部材。
【手続補正３】
【補正対象書類名】明細書
【補正対象項目名】０００４
【補正方法】変更
【補正の内容】
【０００４】  本考案は、前記問題点を一挙に解決するものであり、ソフトな材質の板状部材を折り畳んで作られた、中空の三角柱からなるスポーツトレーニング用具である。具体的には、トレーニング用ハードルとして利用できる。板状部材としては、スポンジ状のクッションや段ボールが挙げられるが、特に、段ボールが好ましい。また、三角柱の外表面には、文字、模様又は色彩等を施すこともできる。更に、本考案の中空の三角柱は、ハードル（カードボードハードル）として使用する現場で、ソフトな材質の板状部材を折り畳むことによって作製することができる。従って、本考案のものは、保管時と使用時に形状を変えられるので、持ち運びにも便利である。段ボールでこの用具を製作した場合は、紙器の一種類として足に絡まる事もなく、踏み付けた場合もつぶれるだけで危険性はない。金属、硬質材料を使わずに作れるので、床、畳を傷つけない。従って、これまで屋外グランド専用で使われてきたものが、今後は、屋内競技のトレーニング用具として問題なく使用できる。
(57)【要約】      （修正有）【課題】バイク運転やスキーなどでの転倒事故における頸椎保護のため、衝撃吸収材を首のまわりに巻き付ける様にして、頸椎を保護するようにしたネックサポートプロテクターを提供する。【解決手段】ネックサポートプロテクター本体は弾力性のある発泡ウレタン素材の逆Ｔ字型であり逆Ｔ字型の縦部分の中心に幅８ｃｍの衝撃吸収素材のダイラント流体又はアルファーゲルを使用した板状を第１頸椎より第７頸椎まで１０ｃｍを貼り付け、首部の後ろ側より前方に巻き付けのど元で止める。逆Ｔ字型の縦の部分を湾曲させて作成することにより簡単に装着することができる。上記素材を使用することにより軽量化ができファンション性、及びより機能的に制作ができる。【選択図】図１
0003143749.tif 000002
【実用新案登録請求の範囲】
【請求項１】
本体の素材は厚さ０．５ｃｍの発砲ウレタンを使用し逆Ｔ字型を有し逆Ｔ字型の縦部に衝撃吸収素材の板状パットを貼り付け、それを首部に巻き、のど元で止める。衝撃吸収素材のＴ字型板状は環椎後頭関節の下より第２頸椎までは幅８ｃｍとし第３頸椎より第７頸椎までは幅５ｃｍとする。なを厚さは２ｃｍのものである。装着後も首部は自在に動く首部プロテクター。
【考案の詳細な説明】
【技術分野】
【０００１】  本考案は環椎後頭関節の下部より第７頸椎までを保護する。原付バイク、自転車運転中やスノーボード、スキーの滑走中のネックサポートプロテクターに関する。
【背景技術】
【０００２】  原付バイク、自転車運転中やスノーボード、スキーの滑走中に転倒による事故から身体を守る防具として、頭部はヘルメット、四肢関節部分は保護パットを着用しているが、頸椎部分は保護具がないのが現状である。
【考案の開示】
【考案が解決しようとする課題】
【０００３】  近年調査結果によると原付バイク、自転車運転中や雪上でのスノーボード、スキーでの滑走中の転倒事故で死亡原因となる要因の第１は頸椎損傷によるものである。そこで本考案の課題は環椎後頭関節から第７頸椎までを保護し、頸椎損傷及び頸動脈損傷を防ぎ死亡事故を最小限に抑える。
【課題を解決するための手段】
【０００４】  上記のような課題を解決するために逆Ｔ字型本体の縦の部に幅８ｃｍ、厚さ２ｃｍの衝撃吸収素材の板状を貼り付け、環椎後頭関節の下部より首部のまわりに合わせ湾曲させ作成することにより簡単に装着できる。
【考案の効果】
【０００５】  上記のように本考案のプロテクターを装着することにより、転倒時いままで無防備であった頸椎部に対する衝撃が６０％程度軽減され大事にいたることがさけられる。
【考案を実施するための最良の形態】
【０００６】  パット本体は弾力性のある発砲ウレタン素材の逆Ｔ字型であり逆Ｔ字型の縦部分の中心に幅８ｃｍの衝撃吸収素材のダイラント流体又はアルファーゲルを使用した板状を第１頸椎より第７頸椎まで１０ｃｍを貼り付け、首部の後ろ側より前方に巻き付けのど元で止める。逆Ｔ字型の縦の部分を湾曲させて作成することにより簡単に装着することができる。上記素材を使用することにより軽量化ができファンション性、及びより機能的に制作ができる。
【実施例】
【０００７】  以下、添付図面に従って実施例を説明する。１の素材は発砲ウレタンを使用する。２の部分は衝撃吸収素材はダイラタント流体又はアルファーゲルを使用する。３の部分はマジックテープであり正面で止める。
【図面の簡単な説明】
【０００８】
【図１】本考案のネックサポートプロテクターの実施例を示す正面図である。
【図２】上記本体の断面図である。
【図３】装着時の図面である。
【図４】頸椎部の仕組みの図面。
【符号の説明】
【０００９】１  ネックサポートプロテクター本体。
２  頸椎部分を保護する衝撃吸収素材使用の厚さ２ｃｍ板状の部分。
３  本体を首に巻き付け前部で止めるマジックテープ。
【図１】
0003143749.tif 000003
【図２】
0003143749.tif 000004
【図３】
0003143749.tif 000005
【図４】
0003143749.tif 000006
【手続補正書】
【提出日】平成20年4月28日(2008.4.28)
【手続補正１】
【補正対象書類名】実用新案登録請求の範囲
【補正対象項目名】全文
【補正方法】変更
【補正の内容】
【実用新案登録請求の範囲】
【請求項１】
発泡ウレタンを素材とし、逆Ｔ字型の縦の部分に衝撃吸収素材の板状パットを貼り付け、横部両端に一対の面ファスナーを設け首部のど元で止める仕様のネックサポートプロテクター。
【手続補正２】
【補正対象書類名】明細書
【補正対象項目名】０００７
【補正方法】変更
【補正の内容】
【０００７】以下、添付図面に従って実施例を説明する。１の素材は発泡ウレタンを使用する。２の部分は衝撃吸収素材ダイラタント流体又はアルファーゲルを使用する。３の部分は面ファスナーを使用し、ネックサポートプロテクターを首部後部より前方に巻き付けのど元で面ファスナーにより止める。
【手続補正３】
【補正対象書類名】明細書
【補正対象項目名】０００９
【補正方法】変更
【補正の内容】
【０００９】１．ネックサポートプロテクター本体。
２．頸椎部分を保護する衝撃吸収素材使用の板状の部分。
３．本体を首部に巻き付け前部のど元で止める面ファスナー。
(57)【要約】      （修正有）【課題】ストッキング又はタイツにおいて、ごく一部を損傷した場合、或いは別のファッションに取り換えたい場合に必要部分のみ取替えることができ、また体型の違いにも、パーツの組み合せで対応できる製品を提供する。【解決手段】ストッキングないしタイツにおいてこれを片足につき複数に分割し、足先から太ももにかけて分割したまま着用できるように分割セットにして製品化する。分割に当っては、太もも用部品１ａ，１ｂ、ふくらはぎ用部品２ａ，２ｂ、足用部品３ａ，３ｂと、３つに分割して、全部をセットにした形の本考案のセパレート型ストッキングないしタイツ１ａ〜３ｂ（１ａ，１ｂ，２ａ，２ｂ，３ａ，３ｂ）とする。【選択図】図１
0003143793.tif 000002
【実用新案登録請求の範囲】
【請求項１】
ストッキングないしタイツにおいてこれを片足につき複数に分割し、足先から太ももにかけて分割したまま着用できるように分割セットにして製品化したことを特徴とするセパレート型ストッキングないしタイツ。
【請求項２】
複数が３つである請求項１記載のセパレート型ストッキングないしタイツ。
【請求項３】
分割された単一部品のみからなる補充又は取り替え用の請求項１及び２記載のセパレート型ストッキングないしタイツ。
【考案の詳細な説明】
【技術分野】
【０００１】この考案は、主に女性用のストッキング（パンストも含む）ないしタイツに関する。
【背景技術】
【０００２】女性の着用するストッキングやタイツは、太ももから爪先まで繋がった一体化物（但し左右一対）であることは、周知の通りである。
【考案の開示】
【考案が解決しようとする課題】
【０００３】このような在来のストッキングやタイツは、ごく一部を損傷した場合、或いは別のファッションに取り換えたい場合に、その都度、全体を買い求めて廃棄せざるをえないものであった。また既成のものでは妊婦や障害者に対応し難く、体型の違いにより甚だ多種のサイズが要求されるなどの難点があった。本考案はかかる難点を解決することを課題とする。
【課題を解決するための手段】
【０００４】ストッキングないしタイツにおいてこれを片足につき複数に分割し、足先から太ももにかけて分割したまま着用できるように分割セットにして製品化する。
【考案を実施するための最良の形態】
【０００５】この際、図面に示すように太もも用部品１ａ，１ｂ、ふくらはぎ用部品２ａ，２ｂ、足用部品３ａ，３ｂと、３つに分割して、全部をセットにした形の本考案のセパレート型ストッキングないしタイツ１ａ〜３ｂ（１ａ，１ｂ，２ａ，２ｂ，３ａ，３ｂ）とすることが好ましい。【０００６】その着用形態は別紙図面のようなものとなるが、この他にもユーザーの好みに応じて既成概念にとらわれずに様々に着用できることは勿論である。【０００７】また上記の部品（１ａ、２ｂなど）も、補充や取り替え用の商品としてユーザーのために各種用意しておくものとする。
【考案の効果】
【０００８】このように本考案によれば、一部を損傷ないし汚染した場合やファッション表現のために取り換えたい場合に、該当するパーツのみを取り換えれば良く、ユーザーにとって経済的であるばかりか、その分、廃棄物が減り、製造面でもより省資源及び省エネルギーにつながり、また季節や体感温度に合わせて容易に着脱ができ、パーツの組合せによってより多様なファッション表現が可能となり、さらに従来のウエストを基準とするサイズにとらわれないので、妊娠中や障害のある人及び体格の大きな人にも利用しやすいなどの効果がある。
【産業上の利用可能性】
【０００９】本考案のセパレート型ストッキングないしタイツはニーズに添ったものであり、製造及び実施も容易であるから、産業上の利用可能性は十分にあるといえる。
【図面の簡単な説明】
【００１０】
【図１】本考案一例を着用状態で示す見取図
【図２】本考案別例を別の着用状態で示す見取図
【符号の説明】
【００１１】１ａ〜３ｂ……セパレート型ストッキングないしタイツ
【図１】
0003143793.tif 000003
【図２】
0003143793.tif 000004
(57)【要約】      （修正有）【課題】内容物が包装袋と閉鎖具の結合端から漏出することを防止する包装容器を提供する。【解決手段】包装袋１と、閉鎖具２とを有し、閉鎖具２には開口端２１と、結合端２２と、が形成されており、結合端２２には網状結合部２２１が設けられており、網状結合部２２１が包装袋１に結合されており、閉鎖具２の開口端２１には螺旋が形成されており、螺旋には蓋２１２又は押圧ノズルが付設される。【選択図】図１
0003143494.tif 000002
【実用新案登録請求の範囲】
【請求項１】
包装袋と、閉鎖具と、を有し、
前記閉鎖具には、開口端と、結合端と、が形成されており、
前記結合端には網状結合部が設けられており、
前記網状結合部が前記包装袋に結合されていることを特徴とする、
包装容器。
【請求項２】
前記閉鎖具の開口端には螺旋が形成されており、前記螺旋には蓋が締付けられていることを特徴とする、請求項１に記載の包装容器。
【請求項３】
前記閉鎖具の開口端には螺旋が形成されており、前記螺旋には押圧ノズルが締付けられていることを特徴とする、請求項１に記載の包装容器。
【考案の詳細な説明】
【技術分野】
【０００１】
本考案は、包装容器に関し、特に、閉鎖具の結合端に網状結合部が凸設されており、網状結合部は包装袋の内壁と液密に結合されている包装容器に関するものである。
【背景技術】
【０００２】
従来、市販されている洗剤、又は乳液を収容する補充パックは、液体、又はペーストなどを収容可能な包装袋を有する。
包装袋の上端には、図５に示すように、閉鎖具３が設けられている。
閉鎖具３は、開口端３１と、結合端３２と、を有し、開口端３１の外壁には螺旋３１１が形成されている。
螺旋３１１には蓋３１２が締付けられている。
結合端３２は、ほぼ菱形状を呈し、前後側壁には水平に設けられている複数の結合片３２１が凸設されている。
これらの結合片３２１は熱圧方法によって包装袋と液密に結合することができる。
【考案の開示】
【考案が解決しようとする課題】
【０００３】
しかしながら、従来の包装袋には次のような欠点があった。
（１）従来の包装袋は、閉鎖具の結合端の側壁に水平に設けられている複数の結合片が凸設されており、これらの結合片は熱圧方法によって包装袋と液密に結合されているが、各結合片は極めて小さい面積で包装袋と結合しているので、不完全な結合が多発して製品の不良率が増加する。
（２）各結合片と包装袋の不完全な結合が検出されないまま、液体又はペーストなどを包装袋に注入すると、液体、又はペーストなどが結合箇所から漏れ出してしまう。
【課題を解決するための手段】
【０００４】
本考案の請求項１に記載の包装容器によると、包装袋と、閉鎖具と、を有し、前記閉鎖具には、開口端と、結合端と、が形成されており、前記結合端には網状結合部が設けられており、前記網状結合部が前記包装袋に結合されていることを特徴とする包装容器である。
【０００５】
本考案の請求項２に記載の包装容器によると、前記閉鎖具の開口端には螺旋が形成されており、前記螺旋には蓋が締付けられている。
本考案の請求項３に記載の包装容器によると、前記閉鎖具の開口端には螺旋が形成されており、前記螺旋には押圧ノズルが締付けられている。
【考案の効果】
【０００６】
本考案の包装容器によれば、本考案に係る閉鎖具の結合端が包装袋の内部に固定されており、結合端には網状結合部及びストリップが設けられている。
これにより、包装袋の内壁は網状結合部と各ストリップと液密に結合することができる。
包装袋と閉鎖具の結合端は良好に結合することができるので、注入された内容物は漏れ出すことがなくなるという効果を有する。
【考案を実施するための最良の形態】
【０００７】
以下、本考案の実施の形態を図面に基づいて説明する。
（実施例１）
まず、図１を参照する。本考案の実施例１に係る包装容器は、包装袋１と、閉鎖具２と、を有する。
包装袋１は、樹脂で作製されたものであり、飲料、洗剤又は化粧品などのペーストを収容可能である。
包装袋１は、熱圧方法によって閉鎖具２と液密に結合することができる。
【０００８】
閉鎖具２には、開口端２１と、結合端２２と、が形成されている。
図２に示すように、閉鎖具２の開口端２１には螺旋２１１が形成されている。
螺旋２１１には蓋２１２が締付けられている。
結合端２２は、ほぼ菱形状を呈し、前後側壁には水平に設けられている網状結合部２２１が凸設されている。
その左右側の頂部にストリップ２２２が凸設されており、これにより、閉鎖具２は包装袋１と液密に結合することができる。
次に、本実施例に係る包装容器の組付方法を説明する。
図１乃至図３に示すように、まず、包装袋１の内周縁に閉鎖具２の結合端２２を設置して、熱圧方法によって包装袋１に閉鎖具２の結合端２２を結合する。
また、結合端２２には網状結合部２２１及びストリップ２２２が設けられている。
これにより、包装袋１の内壁は網状結合部２２１と各ストリップ２２２と液密に結合することができる。包装袋１と閉鎖具２の結合端２２は良好に結合することができるので、注入された内容物は漏れ出すことがなくなる。
【０００９】
（実施例２）
図４に示すように、本考案の実施例２に係る包装容器を示す。
実施例２に係る包装容器が実施例１と異なる点は、閉鎖具２の開口端２１に、蓋２１２の代えて押圧ノズル２１３を付設したことである。
このように、本考案はいくつかの実施例について説明したが、本考案はそれらの実施例に限定されるものではなく、本考案の精神および範囲を逸脱することなく、当業者が適宜行なう実施例の変更、追加、または、削除を施してもよいことは勿論である。
【図面の簡単な説明】
【００１０】
【図１】本考案の実施例１の斜視図である。
【図２】本考案の実施例１に係る閉鎖具の斜視図である。
【図３】本考案の実施例１の組合せ状態を示す側面図である。
【図４】本考案の実施例２に係る閉鎖具の斜視図である。
【図５】従来の閉鎖具の斜視図である。
【符号の説明】
【００１１】
１：包装袋、２：閉鎖具、２１：開口端、３：閉鎖具、２２：結合端、３１：開口端、３２：結合端、２１１：螺旋、２１２：蓋、２１３：押圧ノズル、２２１：網状結合部、２２２：ストリップ、３１１：螺旋、３１２：蓋、３２１：結合片。
【図１】
0003143494.tif 000003
【図２】
0003143494.tif 000004
【図３】
0003143494.tif 000005
【図４】
0003143494.tif 000006
【図５】
0003143494.tif 000007
(57)【要約】【課題】傷口敷材で、特に使用しやすく、且つスピーディに傷口の治癒を促進するナノ炭の人造皮膚敷材の提供。【解決手段】ナノ炭の人造皮膚敷材は、無機樹脂にナノ炭を混合し、一人造皮膚敷材を精製して傷口外部に当てるのに使用する。そのうち、無機樹脂は別にイソプロパノールを含み、これは殺菌の効果を具え、ナノ炭は高吸収性を具えて傷口の回復に役立つ。【選択図】図１
0003143480.tif 000002
【実用新案登録請求の範囲】
【請求項１】
皮膚の傷口外部に使用するナノ炭の人造皮膚敷材において、
一無機樹脂から形成された膜状もしくは片状構造で、該無機樹脂は密集分布したナノ炭をその中に含むことを特徴とするナノ炭の人造皮膚敷材。
【請求項２】
前記無機樹脂は、三酸化二アルミニウム、酸化シリコン及びイソプロパノールから構成されることを特徴とする請求項１記載のナノ炭の人造皮膚敷材。
【請求項３】
前記ナノ炭の人造皮膚敷材は、人造皮膚敷材の内部に抗菌剤を含むことを特徴とする請求項１記載のナノ炭の人造皮膚敷材。
【考案の詳細な説明】
【技術分野】
【０００１】
本考案は、一種の傷口敷材で、特に使用しやすく、且つスピーディに傷口の治癒を促進するナノ炭の人造皮膚敷材に係る。
【背景技術】
【０００２】
皮膚が傷ついた時、細菌の汚染もしくは侵入を避けるため、公知では軟膏を塗るか、もしくは絆創膏を貼って傷口を保護し、外界から隔離する。そのうち、治療性の薬剤は傷口に対して殺菌及び傷口の回復に役立つ。しかし、公知の方式は理想的ではなく、直接軟膏を塗って隔離するのは効果が良好ではなく、更にその他の箇所に軟膏が付着してしまったりする。また絆創膏は剥がれやすく、防水性に劣るため、改善の必要がある。
【考案の開示】
【考案が解決しようとする課題】
【０００３】
本考案は公知の欠点を改善した一種の新しい設計で改良性及び進歩性を得たもので、主に無機樹脂にナノ炭を混合し、人造皮膚敷材を精製し、実用性に優れたものである。
【０００４】
上述のとおり、本考案の無機樹脂は、三酸化二アルミニウム、酸化シリコンを主な成分として形成されたイソプロパノールのゾル結合材であり、上述に使用するナノ炭の大きさは２００メッシュ以下がよい。
【０００５】
上述の無機樹脂は、そのうち三酸化二アルミニウム、酸化シリコン及びイソプロパノールの良好な混合比率は４：１：５とする。
【０００６】
本考案の一実施例として、８００ミリリットルの無機樹脂に８０グラムのナノ炭を混合し、十分に撹拌したものが人造皮膚敷材の主要成分である。
【課題を解決するための手段】
【０００７】
請求項１の考案は、皮膚の傷口外部に使用するナノ炭の人造皮膚敷材において、
一無機樹脂から形成された膜状もしくは片状構造で、該無機樹脂は密集分布したナノ炭をその中に含むことを特徴とするナノ炭の人造皮膚敷材としている。
請求項２の考案は、前記無機樹脂は、三酸化二アルミニウム、酸化シリコン及びイソプロパノールから構成されることを特徴とする請求項１記載のナノ炭の人造皮膚敷材としている。
請求項３の考案は、前記ナノ炭の人造皮膚敷材は、人造皮膚敷材の内部に抗菌剤を含むことを特徴とする請求項１記載のナノ炭の人造皮膚敷材としている。
【考案の効果】
【０００８】
本考案のナノ炭の人造皮膚敷材は、傷口敷材で、特に使用しやすく、且つスピーディに傷口の治癒を促進するという利点がある。
【考案を実施するための最良の形態】
【０００９】
図１に示すのは、本考案のナノ炭の人造皮膚敷材の製作フローチャート概略図である。それは特定の比例の三酸化二アルミニウム、酸化シリコンにイソプロパノールを混合して無機樹脂を精製し、一ゾル結合剤とする。その後ナノ炭を混合して撹拌し、均一に膏（液）状の物質を形成し、それを不特定の形状（円形、長楕円形等）の膜状もしくは片状物に精製して提供する。それを直接傷口外部に塗布し、本考案の人造皮膚敷材１とする。図２、図３に示すのは、本考案の一実施例の立体外観図及び断面図である。該人造皮膚敷材１は無機樹脂１１及びその中に密集して分布するナノ炭１２を含む。また元々含んでいるイソプロパノールは一快速揮発物質で、且つ殺菌効果を具える。そのため、人造皮膚敷材１を傷口外部に貼り付けると、イソプロパノールによって殺菌して揮発し、その後傷口を含む外部の皮膚表面にしっかりと粘着して覆い、防水隔離層を形成し、更に傷口を保護する効果を得る。この他、ナノ炭１２は非常に高い吸着性を備えているため、傷口内の液体もしくは毒性物質を吸着し、傷口の回復に役立つ。この他、抗菌剤をその中に加えても良く、人造皮膚敷材の抗菌効果を高める。
【００１０】
動物実験に依ると、本考案のナノ炭の人造皮膚敷材を使用した傷口は、その回復速度が公知の１．５から２倍速い。
【図面の簡単な説明】
【００１１】
【図１】本考案のナノ炭の人造皮膚敷材の製作フローチャート概略図である。
【図２】本考案の一実施例の立体外観図である。
【図３】図２の断面図である。
【符号の説明】
【００１２】
１  ナノ炭の人造皮膚敷材
１１  無機樹脂
１２  ナノ炭
【図１】
0003143480.tif 000003
【図２】
0003143480.tif 000004
【図３】
0003143480.tif 000005